(57)【特許請求の範囲】
【請求項１】
情報を表示するための表示領域が形成される表示手段と、
人が予め定める距離以内に接近したことを検出する検出手段と、
検出手段によって予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、
検出手段によって予め定める距離以内に人が接近したことが検出されたとき、前記表示領域全体に第３の表示情報を表示させる制御手段と、
前記表示手段の表示領域の背面側から光を照射するバックライト手段とを含み、
前記第１の表示情報は、予め定める模様パターンが変化する態様の情報であり、
前記制御手段は、前記バックライト手段を点灯および消灯させることによって、前記予め定める模様パターンを変化させることを特徴とする情報表示装置。
【請求項２】
前記第２の領域は、前記表示領域の中央部付近に形成される矩形の領域であることを特徴とする請求項１に記載の情報表示装置。
【請求項３】
前記第２の表示情報は、前記第３の表示情報が前記表示領域全体に表示されたときのサイズを縮小したサイズの情報または予め定める画像情報であることを特徴とする請求項１または２に記載の情報表示装置。
【請求項４】
情報を表示するための表示領域が形成される表示手段と、人が予め定める距離以内に接近したことを検出する検出手段と、前記表示手段の表示領域の背面側から光を照射するバックライト手段とを含む情報表示装置が実行する情報表示方法であって、
検出手段によって、人が予め定める距離以内に接近したことを検出する検出工程と、
検出工程で予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、
検出工程で予め定める距離以内に人が接近したことが検出されたとき、前記表示領域全体に第３の表示情報を表示する表示工程とを含み、
前記第１の表示情報は、予め定める模様パターンが変化する態様の情報であり、
前記バックライト手段を点灯および消灯させることによって、前記予め定める模様パターンを変化させることを特徴とする情報表示方法。
【発明の詳細な説明】
【技術分野】
【０００１】
本発明は、人目を引くためのアイキャッチ機能を有する情報表示装置および情報表示方法に関する。
【背景技術】
【０００２】
電子看板システムなどの情報表示装置は、大きく分けて２つの目的で情報を表示する。第１の目的は、通行人に対して、通行人の目をその電子看板システムに向けさせて、その電子看板システムの存在を知らせ、かつその電子看板システムに表示される店舗の名称等によってその店舗の存在を知ってもらうことである。第２の目的は、店舗の内容、たとえば何屋さんであるのか、あるいは何を売っているか等の情報を知ってもらうことである。すなわち、第１の目的は、電子看板システムの前に顧客を集める集客のための表示が目的であり、第２の目的は、販売促進（以下「販促」という）のための表示が目的である。
【０００３】
複数の発光ダイオード（Light Emitting Diode：以下「ＬＥＤ」という）を用いる電子看板システムは、複数のＬＥＤを、第１の目的のために用いられるＬＥＤと第２の目的のために用いられるＬＥＤとに別々に分けて構成している。
【０００４】
このような電子看板システムの従来技術として、特許文献１に記載される面発光型ディスプレイがある。この面発光型ディスプレイは、表示部の周囲に、人目を引くための複数のＬＥＤが並べられたアイキャッチラインが配置されている。表示部は、ＬＥＤを縦横のマトリクス状に配列したものであり、アイキャッチラインは、複数個のＬＥＤを適当な間隔をあけてほぼ矩形周回の１列のライン状に並べたものである。表示データを表示部に表示するとき、同時に、点滅パターンのデータに基づいてアイキャッチラインを点滅動作させる。アイキャッチラインを構成するすべてのＬＥＤを同時に点灯、または同時に消灯して、点滅を繰り返すことによって、面発光型ディスプレイを目だ立たせて人目を引き、表示内容に着目させようとするものである。
【先行技術文献】
【特許文献】
【０００５】
【特許文献１】特開平１１−１６７３５９号公報
【発明の概要】
【発明が解決しようとする課題】
【０００６】
上述した従来技術による面発光型ディスプレイの場合、ＬＥＤが集客表示用（以下「アイキャッチ用」ともいう）ＬＥＤからなるアイキャッチラインと、販促表示用（以下「コンテンツ用」ともいう）ＬＥＤとからなる表示部に分けられ、表示部およびアイキャッチラインのいずれも、それぞれの目的の表示しかできないので、表示データは、コンテンツ用の表示部にのみ表示され、コンテンツ用の表示部の表示面積が、アイキャッチラインの領域分限定される。また、人が近くにいなくても、表示部に表示データが表示されおり、人に見られることのない無駄な表示が行われ、逆に、人が近くにいても、アイキャッチラインが点滅し、無駄な点滅が行われる。
【０００７】
本発明の目的は、表示領域を最大限に利用して集客表示および販促表示を行うことができる情報表示装置および情報表示方法を提供することである。
【課題を解決するための手段】
【０００８】
本発明は、情報を表示するための表示領域が形成される表示手段と、
人が予め定める距離以内に接近したことを検出する検出手段と、
検出手段によって予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、
検出手段によって予め定める距離以内に人が接近したことが検出されたとき、前記表示領域全体に第３の表示情報を表示させる制御手段と、
前記表示手段の表示領域の背面側から光を照射するバックライト手段とを含み、
前記第１の表示情報は、予め定める模様パターンが変化する態様の情報であり、
前記制御手段は、前記バックライト手段を点灯および消灯させることによって、前記予め定める模様パターンを変化させることを特徴とする情報表示装置である。
【０００９】
また本発明は、前記第２の領域は、前記表示領域の中央部付近に形成される矩形の領域であることを特徴とする。
【００１０】
また本発明は、前記第２の表示情報は、前記第３の表示情報が前記表示領域全体に表示されたときのサイズを縮小したサイズの情報または予め定める画像情報であることを特徴とする。
【００１３】
また本発明は、情報を表示するための表示領域が形成される表示手段と、人が予め定める距離以内に接近したことを検出する検出手段と、前記表示手段の表示領域の背面側から光を照射するバックライト手段とを含む情報表示装置が実行する情報表示方法であって、
検出手段によって、人が予め定める距離以内に接近したことを検出する検出工程と、
検出工程で予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、
検出工程で予め定める距離以内に人が接近したことが検出されたとき、前記表示領域全体に第３の表示情報を表示する表示工程とを含み、
前記第１の表示情報は、予め定める模様パターンが変化する態様の情報であり、
前記バックライト手段を点灯および消灯させることによって、前記予め定める模様パターンを変化させることを特徴とする情報表示方法である。
【発明の効果】
【００１４】
本発明によれば、表示手段は、情報を表示するための表示領域が形成される。検出手段は、人が予め定める距離以内に接近したことを検出する。そして、制御手段は、検出手段によって予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、検出手段によって予め定める距離以内に人が接近したことが検出されたとき、前記表示領域全体に第３の表示情報を表示させる。したがって、人が離れているときは、第１の情報、つまり人目を引くための表示態様の情報を表示して集客し、人が接近したときは、人目を引くための表示態様の情報の第１の領域への表示をやめ、第１の領域も利用して、第３の情報、たとえば、販売促進のための情報を表示することができる。すなわち、表示領域を最大限に利用して集客表示および販売促進表示を行うことができる。
また、前記第１の表示情報は、予め定める模様パターンが変化する態様の情報である。バックライト手段は、前記表示手段の表示領域の背面側から光を照射する。そして、前記制御手段は、バックライト手段を点灯および消灯させることによって、前記予め定める模様パターンを変化させる。したがって、より明るい光でアイキャッチを行うことができ、より人の注意を引くことができる。
【００１５】
また本発明によれば、前記第２の領域は、前記表示領域の中央部付近に形成される矩形の領域であるので、人目を引くための表示態様の情報を目だ立させることができ、より人の注意を引くことができる。
【００１６】
また本発明によれば、前記第２の表示情報は、前記第３の表示情報が前記表示領域全体に表示されたときのサイズを縮小したサイズの情報または予め定める画像情報である。したがって、第１の領域に人目を引くための表示態様の情報を表示しているときに、第２の領域に、店舗の内容、たとえば何屋さんであるのか、あるいは何を売っているか等の情報を表示、または店舗の名称等によってその店舗の存在を知ってもらうための情報を表示することができる。
【００１９】
また本発明によれば、情報を表示するための表示領域が形成される表示手段と、人が予め定める距離以内に接近したことを検出する検出手段とを含む情報表示装置で情報を表示するにあたって、検出工程では、検出手段によって、人が予め定める距離以内に接近したことを検出する。そして、表示工程では、検出工程で予め定める距離以内に人が接近したことが検出されなかったとき、前記表示領域の一部である第１の領域に、人目を引くための表示態様の第１の表示情報を表示させるとともに、前記表示領域のうち第１の領域を除く残余の領域である第２の領域に、第２の表示情報を表示させ、検出工程で予め定める距離以内に人が接近したことが検出されたとき、前記表示領域全体に第３の表示情報を表示する。したがって、人が離れているときは、第１の情報、つまり人目を引くための表示態様の情報を表示して集客し、人が接近したときは、人目を引くための表示態様の情報の第１の領域への表示をやめ、第１の領域も利用して、第３の情報、たとえば、販売促進のための情報を表示することができる。すなわち、表示領域を最大限に利用して集客表示および販売促進表示を行うことができる。
また、前記第１の表示情報は、予め定める模様パターンが変化する態様の情報である。バックライト手段は、前記表示手段の表示領域の背面側から光を照射する。そして、前記バックライト手段を点灯および消灯させることによって、前記予め定める模様パターンを変化させる。したがって、より明るい光でアイキャッチを行うことができ、より人の注意を引くことができる。
【図面の簡単な説明】
【００２０】
【図１】本発明の一実施形態である電子看板システム１の構成を示すブロック図である。
【図２】液晶表示器１５およびバックライト１７による表示を説明するための図である。
【図３】揮発性メモリ１２に記憶される情報の一例を示す図である。
【図４】不揮発性メモリ１３に記憶される情報の一例を示す図である。
【図５】電子看板システム１が表示する第１の表示例を示す図である。
【図６】電子看板システム１が表示する第２の表示例を示す図である。
【図７】電子看板システム１が実行する表示処理の処理手順を示すフローチャートである。
【発明を実施するための形態】
【００２１】
図１は、本発明の一実施形態である電子看板システム１の構成を示すブロック図である。電子看板システム１は、人目を引くためのアイキャッチ機能を有する情報表示装置である。本発明に係る情報表示方法は、電子看板システム１で実行される。
【００２２】
電子看板システム１は、ローカルエリアネットワーク（Local Area Network：略称ＬＡＮ）、ワイドエリアネットワーク（Wide Area Network：略称ＷＡＮ）あるいはインターネットなどのネットワークを介してコントローラ２に接続され、コントローラ２と情報の送受信を行う。
【００２３】
コントローラ２は、たとえばパーソナルコンピュータによって構成され、電子看板システム１に表示させる映像のコンテンツを表す表示映像信号を、ネットワークを介して電子看板システム１に送信する。電子看板システム１に表示させる映像のコンテンツは、店舗の内容など販売促進のためのコンテンツであり、たとえば、何屋さんであるのか、あるいは何を売っているか等の情報からなるコンテンツである。
【００２４】
電子看板システム１は、制御部１１、揮発性メモリ１２、不揮発性メモリ１３、受信部１４、液晶表示器１５、液晶コントローラ１６、バックライト１７、発光ダイオード（
Light Emitting Diode：以下「ＬＥＤ」という）コントローラ１８、人感センサ１９、人検出部２０およびデータバス２１を含んで構成される。
【００２５】
制御部１１は、中央処理装置（Central Processing Unit：以下「ＣＰＵ」という）１１１、画像縮小部１１２、アイキャッチモード選択部１１３、アイキャッチ画像モード選択部１１４および図示しない記憶部を含んで構成される。ＣＰＵ１１１および図示しない記憶部は、ハードウエアである。画像縮小部１１２、アイキャッチモード選択部１１３およびアイキャッチ画像モード選択部１１４は、ＣＰＵ１１１が図示しない記憶部に記憶されるプログラムを実行することによって実現される機能である。図示しない記憶部は、たとえば半導体メモリなどの記憶装置によって構成され、ＣＰＵ１１１で実行されるプログラムおよびＣＰＵ１１１がプログラムを実行する際に必要な情報を記憶する。
【００２６】
制御部１１は、受信部１４、液晶コントローラ１６、ＬＥＤコントローラ１８および人検出部２０を制御する。制御部１１は、データバス２１を介して、受信部１４、液晶コントローラ１６、揮発性メモリ１２および不揮発性メモリ１３と情報を送受信する。制御部１１は、揮発性メモリ１２および不揮発性メモリ１３への情報の書き込みおよび読み出しを行う。受信部１４は、データバス２１を介して、揮発性メモリ１２への情報の書き込みを行う。液晶コントローラ１６は、データバス２１を介して、揮発性メモリ１２および不揮発性メモリ１３から情報の読み出しを行う。
【００２７】
揮発性メモリ１２は、たとえばＤＲＡＭ（Dynamic Random Access Memory）などの揮発性の半導体メモリによって構成される。不揮発性メモリ１３は、フラッシュメモリなどの不揮発性の半導体メモリによって構成される。揮発性メモリ１２および不揮発性メモリ１３に記憶される情報については、後述する。
【００２８】
受信部１４は、ネットワークを介してコントローラ２から情報を受信する通信装置である。受信部１４は、コントローラ２から受信した情報のうち、表示映像信号を除く情報を制御部１１に送る。また、受信部１４は、コントローラ２から受信した表示映像信号を表示映像のデータに変換して、揮発性メモリ１２に記憶する。
【００２９】
表示手段である液晶表示器１５は、たとえば液晶表示パネルによって構成され、情報を表示するための表示領域が形成される。表示領域は、液晶表示器１５に形成される画素からなる領域である。液晶表示器１５は、液晶コントローラ１６から指示される液晶制御信号に基づいて、液晶コントローラ１６から受け取る表示信号を映像として、表示領域に表示する。液晶コントローラ１６は、制御部１１からの指示に応じて、表示すべき情報、たとえば映像データを揮発性メモリ１２から読み出し、あるいは画像データを不揮発性メモリ１３から読み出し、読み出した映像データおよび画像データを表示信号に変換して液晶表示器１５に送る。
【００３０】
バックライト手段であるバックライト１７は、液晶表示器１５を背面から照明する光源である。バックライト１７は、たとえば複数のＬＥＤによって構成される。複数のＬＥＤは、赤、青および緑の３種類の色のＬＥＤを含み、赤色の複数のＬＥＤ、青色の複数のＬＥＤおよび緑色の複数のＬＥＤから構成される。隣接して配置される１つまたは２つの赤色のＬＥＤ、１つまたは２つの青色のＬＥＤおよび１つまたは２つの緑色のＬＥＤが１組となって１つの画素を構成する。各ＬＥＤは、ＬＥＤコントローラ１８から指示されるＬＥＤ制御信号によって輝度が制御され、各画素の色が決定される。ＬＥＤコントローラ１８は、制御部１１から受け取るＬＥＤ表示データに応じたＬＥＤ制御信号をバックライト１７に送る。
【００３１】
人感センサ１９は、たとえば赤外線センサによって構成され、人が液晶表示器１５から予め定める距離の範囲内に入ると、人が予め定める距離の範囲内に入ったことを示す信号を人検出部２０に送る。予め定める距離は、たとえば液晶表示器１５から５メートルの距離であるが、液晶表示器１５の大きさ、および液晶表示器１５が設けられる高さなどに応じて設定される。
【００３２】
人検出部２０は、人感センサ１９から人が予め定める距離の範囲内に入ったことを示す信号を受け取ると、近くに人がいることを検知したことを示す人検知信号を制御部１１に送り、人感センサ１９から人が予め定める距離の範囲内に入ったことを示す信号を受け取らないと、近くに人がいることを検知しなかったことを示す人検知信号を制御部１１に送る。人検知信号が「１」を表す信号レベルのとき、人が近くにいることを示し、人検知信号が「０」を表す信号レベルのとき、人が近くにいないことを示す。人感センサ１９および人検出部２０は、検出手段である。
【００３３】
データバス２１は、情報を送受信するためのバスであり、たとえば複数ビットからなる情報を並列に送受信することができる。制御部１１、液晶コントローラ１６およびＬＥＤコントローラ１８は、制御手段である。
【００３４】
図２は、液晶表示器１５およびバックライト１７による表示を説明するための図である。図２は、アイキャッチモードのときに、液晶表示器１５およびバックライト１７によって表示される表示例を示す。アイキャッチモードは、人目を引く表示態様で情報を表示するモードである。アイキャッチモードでは、液晶表示器１５は、表示領域がアイキャッチ部１５１および固定部１５２の２つの領域に分割される。
【００３５】
第１の領域であるアイキャッチ部１５１は、表示領域の一部であり、たとえば中央部付近を除く周縁部の領域である。第２の領域である固定部１５２は、表示領域のうち第１の領域を除く残余の領域であり、たとえば中央部付近の領域である。すなわち、アイキャッチ部１５１は、固定部１５２を囲う周縁部に形成される。図２に示した例では、固定部１５２は表示領域の中央部付近に形成される矩形の領域であり、アイキャッチ部１５１は、表示領域のうち中央部付近の固定部１５２つまり矩形の領域が除かれた枠型の領域である。アイキャッチ部１５１は、人目を引く映像を表示するための領域であり、固定部１５２は、知らせたい情報を表示するための領域である。
【００３６】
換言すれば、アイキャッチ部１５１に表示される人目を引く映像は、通行人の目をその電子看板システム１に向けさせて、電子看板システム１の存在を知らせるための情報である。固定部１５２に表示される情報は、電子看板システム１に表示される店舗の名称等によってその店舗の存在を知ってもらうための情報である。アイキャッチ部１５１に表示される情報および固定部１５２に表示される情報は、電子看板システムの前に顧客を集める集客のための情報である。人目を引く映像は、人目を引くための表示態様で表示される情報であり、以下、アイキャッチパターンという。
【００３７】
キャッチモードのとき、アイキャッチ部１５１の領域の液晶表示器１５は、白色を表示し、背後にあるバックライト１７のＬＥＤによる色がそのまま表示される。アイキャッチ部１５１には、バックライト１７のＬＥＤによって、アイキャッチパターンが表示される。図２に示した例では、アイキャッチパターンは、アイキャッチ部１５１の領域に１８個の円形の表示単位１６１が設けられる。各表示単位１６１は、点灯するＬＥＤの位置を示しており、各表示単位１６１には、左上から反時計回りに「１」〜「１８」までの番号１６２が割り当てられている。各表示単位１６１には、６種類の色のうちの１つの色が割り当てられ、予め定める時間間隔で、各色が隣の表示単位１６１に順次移動しているかのように表示される。また、図２に示した例では、固定部１５２は、「午後の喫茶店」という文字を含む映像を表示し、知らせたい情報として、喫茶店の名称を表示している。
【００３８】
図３は、揮発性メモリ１２に記憶される情報の一例を示す図である。揮発性メモリ１２は、たとえばコントローラ２から受信した表示映像のデータ（以下「非縮小データ」という）１２１、およびコントローラ２から受信した表示映像の縮小データ（以下「縮小データ」という）１２２などの情報を記憶する。以下、非縮小データ１２１および縮小データ１２２を総称して、「映像データ」という。
【００３９】
受信部１４は、ネットワークを介してコントローラ２から受信した表示映像信号を非縮小データ１２１に変換し、変換した非縮小データ１２１を揮発性メモリ１２に記憶する。すなわち、揮発性メモリ１２に記憶される非縮小データ１２１は、受信部１４が記憶した映像データである。画像縮小部１１２は、揮発性メモリ１２に記憶される非縮小データ１２１を読み出し、読み出した非縮小データ１２１の映像サイズを縮小し、縮小した映像データを縮小データ１２２として揮発性メモリに記憶する。揮発性メモリ１２に記憶される非縮小データ１２１および縮小データ１２２は、液晶コントローラ１６によって読み出され、液晶表示信号に変換されて液晶表示器１５に送られる。非縮小データ１２１は、第３の表示情報であり、縮小データ１２２は、第３の表示情報が表示領域全体に表示されたときのサイズを縮小したサイズの情報、つまり第２の表示情報である。
【００４０】
図４は、不揮発性メモリ１３に記憶される情報の一例を示す図である。不揮発性メモリ１３は、アイキャッチモード１３１、アイキャッチ画像モード１３２、アイキャッチモード時の画像データ（以下「画像データ」という）１３３、アイキャッチモード時の固定部のサイズデータ（以下「固定部サイズデータ」という）１３４、アイキャッチモード時の固定部の位置データ（以下「固定部位置データ」という）１３５、アイキャッチモード時のＬＥＤ表示サイズデータ（以下「ＬＥＤ表示サイズデータ」という）１３６、アイキャッチモード時のバックライト位置データ（以下「バックライト位置データ」という）１３７、アイキャッチモード時のバックライト色データ（以下「バックライト色データ」という）１３８および図示しない液晶表示器１５の解像度などの情報を記憶する。
【００４１】
アイキャッチモード１３１は、人が液晶表示器１５に接近したときに、アイキャッチモードにするか否かを示す情報である。アイキャッチモード１３１には、「ＹＥＳ」または「ＮＯ」が設定される。アイキャッチモード１３１に「ＹＥＳ」が設定されていると、人が液晶表示器１５の近くにいないときに、アイキャッチモードにすることを示し、アイキャッチモード１３１に「ＮＯ」が設定されていると、人が液晶表示器１５の近くにいなくても、アイキャッチモードにしないことを示す。アイキャッチモード１３１は、アイキャッチモード選択部１１３によって設定される。
【００４２】
アイキャッチモード選択部１１３は、たとえばアイキャッチモードを設定するためのアイキャッチモード設定画面を、図示しない操作部、たとえばタッチパネルに表示し、管理者がタッチパネルに表示された操作ボタンを操作することによって設定する。具体的には、アイキャッチモード選択部１１３は、アイキャッチモード設定画面に、「人が近くにいないときにアイキャッチモードにする設定にしますか」という問い合わせのメッセージと、「ＹＥＳ」ボタンおよび「ＮＯ」ボタンとを表示し、「ＹＥＳ」ボタンが操作されると、アイキャッチモード１３１に「ＹＥＳ」を設定し、「ＮＯ」ボタンが操作されると、アイキャッチモード１３１に「ＮＯ」を設定する。
【００４３】
アイキャッチ画像モード１３２は、アイキャッチモード時に固定部１５２に表示するデータを、固定モードで表示するか縮小モードで表示するかを示す情報である。固定モードは、不揮発性メモリ１３に記憶される画像データ１３３を表示する設定であることを示す。縮小モードは、揮発性メモリ１２に記憶される縮小データ１２２を表示する設定であることを示す。アイキャッチ画像モード１３２は、アイキャッチ画像モード選択部１１４によって設定される。
【００４４】
アイキャッチ画像モード選択部１１４は、たとえばアイキャッチ画像モードを設定するためのアイキャッチ画像モード設定画面を、図示しない操作部、たとえばタッチパネルに表示し、管理者がタッチパネルに表示された操作ボタンを操作することによって設定する。具体的には、アイキャッチ画像モード選択部１１４は、アイキャッチ画像モード設定画面に、「アイキャッチ画像モードを、固定モードに設定しますか、縮小モードに設定しますか」という問い合わせのメッセージと、「固定モード」ボタンおよび「縮小モード」ボタンとを表示し、「固定モード」ボタンが操作されると、アイキャッチ画像モード１３２に「固定モード」を設定し、「縮小モード」ボタンが操作されると、アイキャッチ画像モード１３２に「縮小モード」を設定する。
【００４５】
画像データ１３３は、アイキャッチモード時に固定部１５２に表示する画像データである。画像データ１３３は、予め不揮発性メモリ１３に記憶される。たとえば、予め受信部１４によって、コントローラ２から画像データ１３３を受信し、受信した画像データ１３３を不揮発性メモリ１３に記憶しておく。図３に示した例では、「午後の喫茶店」という文字を含む画像データ１３３が示されている。画像データ１３３は、予め定める画像情報、つまり第２の表示情報である。
【００４６】
固定部サイズデータ１３４は、アイキャッチモード時に固定部１５２とする領域の大きさを、Ｘ軸方向の画素数およびＹ軸方向の画素数で表わすデータである。Ｘ軸およびＹ軸は、液晶表示器１５の表示画面に向かって、表示画面の左上の位置を原点とし、原点から右方向をＸ軸の正方向および原点から下方向をＹ軸の正方向とするＸＹ座標におけるＸ軸およびＹ軸である。図４に示した例では、「Ｘ」が「１０６６」であり、「Ｙ」が「６００」である。すなわち、Ｘ軸方向に１０６６画素およびＹ軸方向に６００画素の領域が固定部１５２の領域である。
【００４７】
固定部位置データ１３５は、固定部サイズデータ１３４が示す固定部１５２の領域の起点となる位置を、Ｘ軸方向の位置およびＹ軸方向の位置で示している。起点は、固定部１５２の領域の左上の位置を合わせる位置である。図４に示した例では、「Ｘ」が「４２７」であり、「Ｙ」が「２４０」である。すなわち、固定部１５２の領域の起点は、Ｘ軸方向に「４２７」の位置およびＹ軸方向に「２４０」の位置である。
【００４８】
ＬＥＤ表示サイズデータ１３６は、表示単位１６１の半径を液晶表示器１５の画素数で表わす情報である。図４に示した例では、「半径」が「５０」であり、円形の表示単位１６１の半径が「５０」であることを示している。
【００４９】
バックライト位置データ１３７は、１８個の表示単位１６１のそれぞれの中心位置を示す情報である。「Ｂ」は、１８個の表示単位１６１を識別するために、各表示単位１６１に割り当てられる番号を示す。アイキャッチ部１５１の左上の表示単位１６１に「０」を割り当て、反時計回りに「１７」までの番号が割り当てられる。
【００５０】
図４に示した例では、番号「Ｂ」が「０」の「ＬＥＤ表示位置データ」は「１２５，１２５」であり、番号「Ｂ」が「１」の「ＬＥＤ表示位置データ」は「１２５，４００」であり、番号「Ｂ」が「２」の「ＬＥＤ表示位置データ」は「１２５，６７５」であり、番号「Ｂ」が「１６」の「ＬＥＤ表示位置データ」は「４００，１２５」であり、番号「Ｂ」が「１７」の「ＬＥＤ表示位置データ」は「６７５，１２５」である。
【００５１】
バックライト色データ１３８は、１８個の表示単位１６１に表示する色の配置パターンを示す情報である。「Ａ」は、配置パターンを識別するための番号であり、６個の配置パターンに「１」から「６」までの番号が割り当てられる。「バックライトデータ」は、若い番号の表示単位１６１から割り当てられる色を示している。「Ｒ」は、赤色であり、「Ｏ」は、橙色であり、「Ｙ」は、黄色であり、「Ｇ」は、緑色であり、「Ｓ」は、青空色であり、「Ｂ」は、青色である。配置パターンに用いられる色が６色であるので、１８個の表示単位１６１の最初の６個に６色を割り当てたとき、続く７番目からの６個の表示単位１６１に６色を割り当て、さらに続く１３番目からの６個の表示単位１６１に６色を割り当てる。配置パターンは、予め定める模様パターンである。
【００５２】
図４に示した例では、番号「Ａ」が「１」の「バックライトデータ」は「Ｒ，Ｏ，Ｙ，Ｇ，Ｓ，Ｂ」であり、番号「Ａ」が「２」の「バックライトデータ」は「Ｏ，Ｙ，Ｇ，Ｓ，Ｂ，Ｒ」であり、番号「Ａ」が「３」の「バックライトデータ」は「Ｙ，Ｇ，Ｓ，Ｂ，Ｒ，Ｏ」であり、番号「Ａ」が「４」の「バックライトデータ」は「Ｇ，Ｓ，Ｂ，Ｒ，Ｏ，Ｙ」であり、番号「Ａ」が「５」の「バックライトデータ」は「Ｓ，Ｂ，Ｒ，Ｏ，Ｙ，Ｇ」であり、番号「Ａ」が「６」の「バックライトデータ」は「Ｂ，Ｒ，Ｏ，Ｙ，Ｇ，Ｓ」である。
【００５３】
図５は、電子看板システム１が表示する第１の表示例を示す図である。図５（ａ）は、コンテンツモードでの表示例１５ａであり、図５（ｂ）は、アイキャッチモードでの表示例１５ｂである。コンテンツモードは、不揮発性メモリ１３に記憶されるアイキャッチモード１３１が「ＮＯ」に設定されているとき、およびアイキャッチモード１３１が「ＹＥＳ」に設定され、かつ人が液晶表示器１５の近くにいるときに表示されるモードであり、コントローラ２から受信した表示映像信号の映像を表示する。アイキャッチモードは、アイキャッチモード１３１が「ＹＥＳ」に設定され、かつ人が近くにいないときに表示されるモードであり、人目を引く表示態様で情報を表示する。
【００５４】
制御部１１は、不揮発性メモリ１３に記憶されるアイキャッチモード１３１が「ＮＯ」に設定されているときは、コンテンツモードで表示する。また、制御部１１は、アイキャッチモード１３１が「ＮＯ」に設定されているときは、人検出部２０から人検知信号によって、人が近くにいることが知られるか否かを確認し、人検出部２０から人検知信号によって、人が近くにいることを知らされると、コンテンツモードで表示し、人検出部２０から人検知信号によって、人が近くにいないことを知らされると、アイキャッチモードで表示する。
【００５５】
コンテンツモードでは、制御部１１は、液晶コントローラ１６に、揮発性メモリ１２に記憶される非縮小データ１２１を液晶表示器１５に表示するように指示する。液晶コントローラ１６は、揮発性メモリ１２に記憶される非縮小データ１２１を読み出し、読み出した非縮小データ１２１を表示信号に変換して、液晶表示器１５に送り、たとえば図５（ａ）に示した表示例１５ａのように表示領域全体に表示させる。
【００５６】
アイキャッチモードは、固定モードと縮小モードとがある。図５（ａ）に示した表示例１５ｂは、図２に示した表示例と同じであり、固定モードでの表示例である。固定モードでは、固定部１５２に表示される情報は、不揮発性メモリ１３に予め記憶される画像データ１３３である。アイキャッチ部１５１に表示される情報は、人目を引くための表示態様のアイキャッチパターンであり、たとえば１８個の表示単位１６１に６色の色を割り当て、時計回りに回転しているように見せるパターン（以下、このパターンを「６色回転パターン」という）である。アイキャッチパターンは、第１の表示情報、すなわち予め定める模様パターンが変化する態様の情報である。
【００５７】
アイキャッチモードでは、制御部１１は、液晶コントローラ１６およびＬＥＤコントローラ１８に、固定モードでのアイキャッチパターンの表示を指示する。液晶コントローラ１６は、固定モードでのアイキャッチパターンの表示を指示されると、不揮発性メモリ１３に記憶される画像データ１３３を読み出し、読み出した画像データ１３３を固定部１５２に表示させる表示信号に変換するとともに、アイキャッチ部１５１に白色を表示させる表示信号を生成し、変換した表示信号および生成した表示信号を液晶表示器１５に送り表示させる。液晶コントローラ１６は、不揮発性メモリ１３に記憶される固定部サイズデータ１３４および固定部位置データ１３５を参照して、アイキャッチ部１５１および固定部１５２の領域を決定する。液晶表示器１５に白色を表示すると、バックライト１７のＬＥＤの表示がそのまま見える状態になる。
【００５８】
さらに、制御部１１は、不揮発性メモリ１３に記憶される固定部サイズデータ１３４および固定部位置データ１３５に基づいて、アイキャッチ部１５１および固定部１５２の領域を決定する。また、制御部１１は、不揮発性メモリ１３に記憶されるＬＥＤ表示サイズデータ１３６、バックライト位置データ１３７およびバックライト色データ１３８に基づいて、アイキャッチパターンを表すＬＥＤ表示データを生成し、ＬＥＤコントローラ１８に送る。ＬＥＤコントローラ１８は、制御部１１から受け取るＬＥＤ表示データに従って、バックライト１７の各ＬＥＤの輝度をＬＥＤ制御信号に従って制御する。
【００５９】
図４に示した不揮発性メモリ１３に記憶されるＬＥＤ表示サイズデータ１３６、バックライト位置データ１３７およびバックライト色データ１３８によるアイキャッチパターンは、６色回転パターンである。すなわち、アイキャッチ部１５１には、１８個の表示単位１６１に６色の色が割り当てられ、割り当てられた各色が時計回りに順次移動するアイキャッチパターンが表示される。このとき、アイキャッチ部１５１の領域にあるＬＥＤのうち、表示単位１６１の領域以外の残余の領域にあるＬＥＤは消灯している。また、ＬＥＤコントローラ１８は、ＬＥＤ制御信号によって、バックライト１７に固定部１５２の領域にあるＬＥＤを白色で点灯するように指示する。このときの表示例が図５（ｂ）に示される表示例１５ｂである。
【００６０】
図６は、電子看板システム１が表示する第２の表示例を示す図である。図６（ａ）は、コンテンツモードでの表示例１５ｃであり、図６（ｂ）は、アイキャッチモードでの表示例１５ｄである。図６（ａ）に示した表示例１５ｃは、図５（ａ）に示した表示例１５ａと同じであり、重複を避けるために説明は省略する。図６（ｂ）に示した表示例１５ｄは、縮小モードでの表示例である。縮小モードでは、固定部１５２に表示される情報は、揮発性メモリ１２に記憶される縮小データ１２２である。
【００６１】
縮小モードでは、制御部１１は、液晶コントローラ１６に、縮小モードでの固定部１５２への表示を指示する。液晶コントローラ１６は、縮小モードでの固定部１５２への表示を指示されると、揮発性メモリ１２に記憶される縮小データ１２２を読み出し、読み出した縮小データ１２２を固定部１５２に表示させる表示信号に変換するとともに、アイキャッチ部１５１に白色を表示させる表示信号を生成し、変換した表示信号および生成した表示信号を液晶表示器１５に送り表示させる。
【００６２】
液晶コントローラ１６は、不揮発性メモリ１３に記憶される固定部サイズデータ１３４および固定部位置データ１３５を参照して、アイキャッチ部１５１および固定部１５２の領域を決定する。液晶表示器１５に白色を表示すると、バックライト１７のＬＥＤの表示がそのまま見える状態になる。制御部１１からＬＥＤコントローラ１８への指示は、図５（ｂ）に示した表示例ｂの場合と同じであり、重複を避けるために説明は省略する。図６（ｂ）に示した表示例１５ｄの固定部１５２ｄには、図６（ａ）に示した表示例１５ｃに表示される映像を縮小した映像が表示されている。
【００６３】
図７は、電子看板システム１が実行する表示処理の処理手順を示すフローチャートである。この表示処理は、電子看板システム１が実行する本発明に係る情報表示方法による処理である。電子看板システム１の電源が投入され、動作可能になるとステップＡ１に進む。
【００６４】
ステップＡ１では、制御部１１は、変数「Ａ」に「０」を代入し、変数「Ｂ」に「０」を代入する。変数「Ａ」，「Ｂ」は、制御部１１に含まれる図示しない記憶部に記憶される。ステップＡ２では、制御部１１は、コントローラ２からの表示映像信号を表示映像データとして揮発性メモリ１２に格納する。具体的には、制御部１１は、受信部１４に、コントローラ２の表示映像信号を表示映像のデータとして揮発性メモリ１２に格納するように指示する。受信部１４は、コントローラ２からの表示映像信号を表示映像のデータとして揮発性メモリ１２に格納するように指示されると、コントローラ２から受信した表示映像信号を表示映像のデータに変換し、変換した表示映像のデータを非縮小データ１２１として揮発性メモリ１２に記憶する。
【００６５】
ステップＡ３では、制御部１１は、アイキャッチモードにする設定であるか否かを判定する。制御部１１は、不揮発性メモリ１３に記憶されるアイキャッチモード１３１が「ＹＥＳ」に設定されているとき、人検出部２０から人検知信号によって、人が近くにいることを知らされなかった場合にアイキャッチモードにする設定であると判定し、ステップＡ４に進む。不揮発性メモリ１３に記憶されるアイキャッチモード１３１が「ＮＯ」に設定されているとき、人検出部２０から人検知信号によって、人が近くにいることを知らされた場合でもアイキャッチモードにしない設定であると判定し、ステップＡ２１に進む。
【００６６】
ステップＡ４では、制御部１１は、人を検知したか否かを判定する。制御部１１は、人検出部２０から人検知信号によって、人が近くにいることを知らされたとき、人を検知したと判定し、ステップＡ２１に進む。人検出部２０から人検知信号によって、人が近くにいなかったことを知らされると、人を検知しなかったと判定し、ステップＡ５に進む。
【００６７】
ステップＡ５では、制御部１１は、アイキャッチ画像モードは縮小モードであるか否かを判定する。制御部１１は、不揮発性メモリ１３に記憶されるアイキャッチ画像モード１３２が「縮小モード」に設定されていると、縮小モードであると判定し、ステップＡ２２に進む。不揮発性メモリ１３に記憶されるアイキャッチ画像モード１３２が「固定モード」に設定されていると、縮小モードでないと判定し、ステップＡ６に進む。
【００６８】
ステップＡ６では、制御部１１は、固定部のサイズ／位置データ、すなわち不揮発性メモリ１３に記憶される固定部サイズデータ１３４および固定部位置データ１３５を読み出す。具体的には、制御部１１は、液晶コントローラ１６およびＬＥＤコントローラ１８に、固定モードでのアイキャッチパターンの表示を指示する。液晶コントローラ１６は、制御部１１から固定モードでのアイキャッチパターンの表示を指示されると、不揮発性メモリ１３に記憶される固定部サイズデータ１３４および固定部位置データ１３５を読み出す。
【００６９】
ステップＡ７では、液晶コントローラ１６は、メモリのアイキャッチ表示の画像データを読み出す。メモリのアイキャッチ表示の画像データは、不揮発性メモリ１３に記憶される画像データ１３３である。すなわち、液晶コントローラ１６は、不揮発性メモリ１３に記憶される画像データ１３３を読み出す。ステップＡ８では、液晶コントローラ１６は、画像データ１３３を固定部１５２に表示する。具体的には、液晶コントローラ１６は、ステップＡ７で不揮発性メモリ１３から読み出した画像データ１３３を表示信号に変換し、変換した表示信号を液晶表示器１５に送って表示する。
【００７０】
ステップＡ９では、ＬＥＤコントローラ１８は、制御部１１から固定モードまたは縮小モードでのアイキャッチパターンの表示を指示されると、固定部１５２のＬＥＤバックライトを点灯（図では「ＯＮ」と記す）する。ＬＥＤバックライトは、バックライト１７のＬＥＤである。具体的には、ＬＥＤコントローラ１８は、ＬＥＤ制御信号によって、バックライト１７に固定部１５２の領域にあるＬＥＤを白色で点灯するように指示する。
【００７１】
ステップＡ１０では、制御部１１は、変数「Ａ」の値に「１」を加算し、「１」が加算された値を変数「Ａ」に代入する。ステップＡ１１では、制御部１１は、変数「Ａ」の値が「７」に等しいか否かを判定する。変数「Ａ」の値が「７」に等しいとき、ステップＡ１２に進み、変数「Ａ」の値が「７」に等しくないとき、ステップＡ１３に進む。ステップＡ１２では、制御部１１は、変数「Ａ」に「０」を代入する。
【００７２】
ステップＡ１３では、制御部１１は、ＬＥＤ表示サイズデータ１３６を読み出す。すなわち、制御部１１は、不揮発性メモリ１３に記憶されるＬＥＤ表示サイズデータ１３６を読み出す。ステップＡ１４では、制御部１１は、変数「Ａ」の番号でＬＥＤ表示色データを読み出す。すなわち、制御部１１は、不揮発性メモリ１３に記憶されるバックライト色データ１３８のうち変数「Ａ」の値に対応する「バックライトデータ」を読み出す。ステップＡ１５では、制御部１１は、変数「Ｂ」の番号でＬＥＤ表示位置データを読み出す。すなわち、制御部１１は、不揮発性メモリ１３に記憶されるバックライト位置データ１３７を読み出す。
【００７３】
ステップＡ１６では、制御部１１は、ＬＥＤ表示サイズデータとＬＥＤ表示色データとＬＥＤ表示位置データとを基に、アイキャッチ部のバックライトを点灯とする。具体的には、制御部１１は、不揮発性メモリ１３に記憶されるＬＥＤ表示サイズデータ１３６、バックライト色データ１３８およびバックライト位置データ１３７に基づくアイキャッチパターンを表示するためのＬＥＤ表示データを生成し、生成したＬＥＤ表示データをＬＥＤコントローラ１８に送り、アイキャッチパターンを表示するようにＬＥＤコントローラ１８に指示する。ＬＥＤコントローラ１８は、制御部１１から受け取るＬＥＤ表示データに基づいて、ＬＥＤ制御信号を生成し、生成したＬＥＤ制御信号をバックライト１７に送る。
【００７４】
たとえば、不揮発性メモリ１３に記憶されるＬＥＤ表示サイズデータ１３６、バックライト色データ１３８およびバックライト位置データ１３７が図４に示したＬＥＤ表示サイズデータ１３６、バックライト色データ１３８およびバックライト位置データ１３７である場合、図５（ｂ）または図６（ｂ）に示したアイキャッチ部１５１に表示される６色回転パターンのアイキャッチパターンが表示される。
【００７５】
ステップＡ１７では、制御部１１は、変数「Ｂ」の値に「１」を加算し、「１」が加算された値を変数「Ｂ」に代入する。ステップＡ１８では、制御部１１は、変数「Ｂ」の値が「１８」に等しいか否かを判定する。変数「Ｂ」の値が「１８」に等しいとき、ステップＡ１９に進み、変数「Ｂ」の値が「１８」に等しくないとき、ステップＡ１５に戻る。ステップＡ１９では、制御部１１は、変数「Ｂ」に「０」を代入する。ステップＡ２０では、制御部１１は、０．５秒処理待ちの後、ステップＡ２に戻る。０．５秒処理待ちは、制御部１１が図示しない計時部によって０．５秒経過するのを待つ処理である。０．５秒は、例示であり、最低限人間が変化を認識できる時間が確保される時間であればよい。図示しない計時部は、タイマなどによって構成される。
【００７６】
ステップＡ２１では、制御部１１は、メモリ内の表示映像データ、つまり非縮小データを液晶表示器１５の全面に表示する。具体手には、制御部１１は、液晶コントローラ１６に、コンテンツモードで表示を指示する。液晶コントローラ１６は、コンテンツモードで表示を指示されると、液晶コントローラ１６は、揮発性メモリ１２に記憶される非縮小データ１２１を読み出し、読み出した非縮小データ１２１を表示信号に変換し、変換した表示信号を液晶表示器１５に送って、表示領域全体に表示し、ステップＡ１に戻る。
【００７７】
ステップＡ２２では、制御部１１は、メモリの表示映像データ、つまり非縮小データ１２１を縮小してメモリに格納する。具体的には、制御部１１の画像縮小部１１２は、揮発性メモリ１２に記憶される非縮小データ１２１を読み出し、読み出した非縮小データ１２１を固定部１５２のサイズに縮小して縮小データ１２２とし、縮小データ１２２を揮発性メモリ１２に記憶する。
【００７８】
ステップＡ２３では、制御部１１は、固定部のサイズ／位置データを読み出す。具体的には、制御部１１は、液晶コントローラ１６およびＬＥＤコントローラ１８に、縮小モードでのアイキャッチパターンの表示を指示する。液晶コントローラ１６は、縮小モードでのアイキャッチパターンの表示を指示されると、不揮発性メモリ１３に記憶される固定部サイズデータ１３４および固定部位置データ１３５を読み出す。
【００７９】
ステップＡ２４では、液晶コントローラ１６は、メモリの表示映像の縮小データ、つまり縮小データ１２２を読み出す。すなわち、液晶コントローラ１６は、揮発性メモリ１２に記憶される縮小データ１２２を読み出す。ステップＡ２５では、液晶コントローラ１６は、縮小データ１２２を固定部１５２に表示して、ステップＡ９に進む。具体的には、液晶コントローラ１６は、ステップＡ２３で揮発性メモリ１２から読み出した縮小データ１２２を表示信号に変換し、変換した表示信号を液晶表示器１５に送って表示し、ステップＡ９に進む。
【００８０】
図７に示したフローチャートのステップＡ４は、検出工程であり、ステップＡ６〜Ａ２４は、表示工程である。
【００８１】
このように、液晶表示器１５は、情報を表示するための表示領域が形成される。人感センサ１９および人検出部２０は、人が予め定める距離以内に接近したことを検出する。そして、制御部１１、液晶コントローラ１６およびＬＥＤコントローラ１８は、人感センサ１９および人検出部２０によって予め定める距離以内に人が接近したことが検出されなかったとき、前記表示領域の一部であるアイキャッチ部１５１に、人目を引くための表示態様のアイキャッチパターンを表示させるとともに、前記表示領域のうちアイキャッチ部１５１を除く残余の領域である固定部１５２に、第２の表示情報を表示させ、人感センサ１９および人検出部２０によって予め定める距離以内に人が接近したことが検出されたとき、前記表示領域全体に非縮小データ１２１を表示させる。したがって、人が離れているときは、第１の表示情報、つまり人目を引くための表示態様の情報を表示して集客し、人が接近したときは、人目を引くための表示態様の情報のアイキャッチ部１５１への表示をやめ、アイキャッチ部１５１も利用して、第３の表示情報、たとえば、販売促進のための情報を表示することができる。すなわち、表示領域を最大限に利用して集客表示および販売促進表示を行うことができる。
【００８２】
さらに、固定部１５２は、前記表示領域の中央部付近に形成される矩形の領域であるので、人目を引くための表示態様の情報を目だ立させることができ、より人の注意を引くことができる。
【００８３】
さらに、前記第２の表示情報は、縮小データ１２２または画像データ１３３である。したがって、アイキャッチ部１５１に人目を引くための表示態様の情報を表示しているときに、固定部１５２に、店舗の内容、たとえば何屋さんであるのか、あるいは何を売っているか等の情報を表示、または店舗の名称等によってその店舗の存在を知ってもらうための情報を表示することができる。
【００８４】
さらに、アイキャッチパターンは、配置パターンが変化する態様の情報であるので、より人の注意を引くことができる。
【００８５】
さらに、バックライト１７は、液晶表示器１５の表示領域の背面側から光を照射する。そして、制御部１１、液晶コントローラ１６およびＬＥＤコントローラ１８は、バックライト１７を点灯および消灯させることによって、配置パターンを変化させる。したがって、より明るい光でアイキャッチを行うことができ、より人の注意を引くことができる。
【００８６】
さらに、情報を表示するための表示領域が形成される液晶表示器１５と、人が予め定める距離以内に接近したことを検出する人感センサ１９および人検出部２０とを含む電子看板システム１で情報を表示するにあたって、図７に示したフローチャートのステップＡ４では、人感センサ１９および人検出部２０によって、人が予め定める距離以内に接近したことを検出する。そして、図７に示したフローチャートのステップＡ６〜Ａ２４では、図７に示したフローチャートのステップＡ４で予め定める距離以内に人が接近したことが検出されなかったとき、前記表示領域の一部であるアイキャッチ部１５１に、人目を引くための表示態様のアイキャッチパターンを表示させるとともに、前記表示領域のうちアイキャッチ部１５１を除く残余の領域である固定部１５２に、第２の表示情報を表示させ、図７に示したフローチャートのステップＡ４で予め定める距離以内に人が接近したことが検出されたとき、前記表示領域に非縮小データ１２１を表示する。したがって、人が離れているときは、第１の表示情報、つまり人目を引くための表示態様の情報を表示して集客し、人が接近したときは、人目を引くための表示態様の情報のアイキャッチ部１５１への表示をやめ、アイキャッチ部１５１も利用して、第３の表示情報、たとえば、販売促進のための情報を表示することができる。すなわち、表示領域を最大限に利用して集客表示および販売促進表示を行うことができる。
【符号の説明】
【００８７】
１  電子看板システム
２  コントローラ
１１  制御部
１２  揮発性メモリ
１３  不揮発性メモリ
１４  受信部
１５  液晶表示器
１６  液晶コントローラ
１７  バックライト
１８  ＬＥＤコントローラ
１９  人感センサ
２０  人検出部
２１  データバス
１１１  ＣＰＵ
１１２  画像縮小部
１１３  アイキャッチモード選択部
１１４  アイキャッチ画像モード選択部
【図１】
0005572486.tif 000002
【図３】
0005572486.tif 000003
【図４】
0005572486.tif 000004
【図７】
0005572486.tif 000005
【図２】
0005572486.tif 000006
【図５】
0005572486.tif 000007
【図６】
0005572486.tif 000008